(57)【要約】【課題】排水に混入して流れる生ゴミを処理する為の装置であって、流し台に設けているゴミの収集容器に溜まった生ゴミを一々取出すことなく、分解処理することが出来るようにした流し台の生ゴミ分解処理装置の提供。【解決手段】排水口の下方には排水中に混入している生ゴミを集めることが出来るように収集容器１を回転可能に取付け、収集容器１の下方には分解処理容器２を設け、収集容器１から落下した生ゴミを収容して攪拌する攪拌羽根２５，２５…を取付け、そして温風を送り込む送風口２７を設け、更に分解処理容器２から発生する悪臭を外へ逃がす為の排気路２８をＳトラップ２４を過ぎた排水管１９に連通している。【選択図】　　　　図１
2004130247.tif 000002
【特許請求の範囲】
【請求項１】
排水に混入して流れる生ゴミを処理する為の装置において、排水口の下方には排水中に混入している生ゴミを集めることが出来るように周囲及び底に小さな穴を形成した網カゴなどから成る収集容器を回転可能に取付け、そして収集容器の下方には分解処理容器を設け、該分解処理容器は収集容器が回転することで落下する生ゴミを収容し、底には回転する攪拌羽根を有すと共に温風が流入する送風口を設けたことを特徴とする流し台に取付けられる生ゴミ分解処理装置。
【請求項２】
上記収集容器は底を浮かし回転支持部材に取付け、該回転支持部材は両側へ突出した軸を排水口から下方へ延びる側板に設けた軸穴に嵌めて回転可能とし、一方の軸は中空軸として内部空間を排水が流れて排水管と連通した請求項１記載の流し台に取付けられる生ゴミ分解処理装置。
【請求項３】
回転支持部材の上端にはガイド片を設け、上記側板に形成したガイド溝にガイド片を遊嵌した請求項２記載の流し台に取付けられる生ゴミ分解処理装置。
【請求項４】
上記分解処理容器の底には粉末状に分解処理された生ゴミが落下する穴を形成した請求項１、請求項２、又は請求項３記載の生ゴミ分解処理装置。
【請求項５】
上記収集容器から出る排水を流す排水管にはＳトラップを設け、分解処理容器から発生する悪臭を外へ逃がす為に設けた排気路をＳトラップを過ぎた排水管と連通した請求項１、請求項２、請求項３、又は請求項４記載の生ゴミ分解処理装置。
【発明の詳細な説明】
【０００１】
【発明の属する技術分野】
本発明は流し台から流出される生ゴミを排水と分離し、該生ゴミを肥料などに処理することが出来る生ゴミ分解処理装置に関するものである。
【０００２】
【従来の技術】
流し台から流される生ゴミは、排水口に凹部容器を着脱自在に取付け、該凹部容器の側面並びに底面には多数の穴を穿設している。そこで、排水に混入して流れ出る生ゴミは凹部容器に収集され、該収集容器を時々取り出して溜まった生ゴミを別の容器に移し替えるといったものである。しかし、このような方式では不便であることから、該収集容器を取り出すことなく容器内に溜まった生ゴミを別の容器又はゴミ袋に移し替える生ゴミ廃棄装置が知られている。
【０００３】
特公昭６０−２４２５８号に係る「流しの流出ゴミ廃棄装置」はこの形式の従来例の１つであり、該装置はゴミ受筒を内蔵する太鼓型の曲壁体の上部に口を設け、該口を流しの底板に設けた排水口に固着し、下部にはゴミ落口を設けている。そして、上記受筒は中央に底板を設けて上下に仕切り、該底板の取着部に回転軸を設け、ハンドルにより受筒を回転させて流しの排水口から受筒上部に収集された生ゴミは受筒の回転によりゴミ落口からゴミ袋などに移される。
【０００４】
又、特開平１１−３１０９４６号に係る「流しの流出ゴミ廃棄装置」は、流しの排水口の下方に取付けされて、ゴミを混入した排水を回転容器に流し込んでゴミだけを網カゴに収集すると共に排水は下水管へ排出する流しの流出ゴミ廃棄装置であって、回転容器は本体ケースに回転可能に軸支された軸に設けられ、該軸には回転容器に流れ込んだ排水を流す流通路を形成し、本体ケースの流入口の内周面には嵌入溝を形成したシールを設け、一方の回転容器の上端周囲には嵌入片を形成し、回転容器を回転して起立することで嵌入片がシールの嵌入溝に嵌り込むようにしている。
【０００５】
従って、流し台から排水と共に流される生ゴミは回転容器内に溜めて排出することが出来、排水は下水管へ流される。そして本体ケースの流入口から回転容器へ排水が流れ込んで、生ゴミだけが回転容器の網カゴに溜まることになるが、排水は本体ケース内に漏れないようにシールされている。
【０００６】
ところで、上記回転容器内に溜まった生ゴミは一杯になったところで取出されて処分されることになるが、しかし取出した生ゴミの処分は面倒である。生ゴミは一時的にストックして置き、定められた収集日に合わせて所定の場所に出さなくてはならない。しかし、生ゴミを収集日まで保管する場合、発生する臭いが部屋に漂う。そこで、近年では生ゴミを即座に分解・処理する為の装置が普及し、多くの家庭で使用されているが、流し台の上記回転容器から取出した生ゴミを分解処理装置内に入れなくてはならないことも面倒である。
【０００７】
【発明が解決しようとする課題】
このように、流し台には生ゴミが下水管へ流れないように収集する為の収集容器、又収集容器に溜まった生ゴミを収容する回転容器が取付けられているが、該回転容器に溜まった生ゴミは取出して処分しなくてはならない。本発明が解決しようとする課題はこの問題点であり、流し台にて生ゴミを分解処理することが出来る生ゴミ処理装置を提供する。
【０００８】
【課題を解決する為の手段】
本発明に係る生ゴミの分解処理装置は流し台に取付けられ、流し台から排水と共に流された生ゴミは分解・処理されて肥料となる。すなわち、従来の「流しの流出ゴミ廃棄装置」と生ゴミ分解処理装置を流し台の一部として組合わせたものであるが、単なる組合せではなく次の特徴をもって構成している。
【０００９】
生ごみが溜まる収集容器は流し台の排水口下方に設けられて、軸を中心として回転することが出来、その向きが逆方向になる。通常は上方を開口した容器であって、周囲及び底は穴が形成されて該収集容器に生ゴミと共に流れ落ちた排水は穴を通過して排出される。そして、該収集容器が回転して向きが逆になるならば、収容されている生ゴミは落下して分解処理容器へ移される。
【００１０】
処理容器の底には攪拌羽根が取付けられ、生ゴミを攪拌しながら分解処理する。攪拌羽根の回転はモータによって行われ、そして分解処理容器内には熱風が送り込まれるようにヒータが備わっている。生ゴミを分解処理する際に発生する臭いを外へ排出する為の排気路が設けられている。細かく砕かれて分解処理された生ゴミは粉末状となって分解処理容器の底に形成している穴から落下し、下方に設けている収納容器に収容される。勿論、下方に穴を設けることなく側面を開口して粉末状化した生ゴミを取出すことが出来る。そして、生ゴミをバクテリア菌などの分解処理菌の助けを借りて処理することもある。以下、本発明に係る実施例を図面に基づいて詳細に説明する。
【００１１】
【実施例】
図１は本発明に係る生ゴミ処理装置を示す実施例であり、同図の１は生ゴミ収集容器、２は生ゴミの分解処理容器を表している。上記収集容器１は上部を開口した網カゴであり、側面及び底は数多くの小さな穴が形成され、流し台の排出口から流れた排水は収集容器１に溜まることなく流れ落ちる。しかし、排水中に混ざっている生ゴミは穴を通過しないで収集容器に溜まることが出来る。
【００１２】
排水口には球面１０を形成したカバー９が配置され、該カバー９の周囲には穴が形成されているが大きなゴミは流れないように遮蔽することが出来る。そして上記収集容器１は回転支持部材３に取付けられ、回転支持部材３が回転するならば、収集容器１も回転してその向きを変えることが出来る。回転支持部材３には軸４と軸５が左右に設けられ、両軸４，５は排水口から下方へ延びて取付けられている外容器の側板６に形成した軸穴に嵌って軸支されている。回転支持部材３の底板７に設けた凸部８には上記収集容器１が載ってネジ止めされている。
【００１３】
従って、収集容器１の底には凸部８の高さに相当する空間が形成され、収集容器１に流れ落ちた排水は底の網目を通過して底板７に流れ落ちる。そして、軸５は側板６から突出し、該軸５の先端には歯付きプーリー１１が取着されていて、モータ１２の主軸１３に取着した歯付きプーリー１４とベルト１５を介して連結している。そこで、該モータ駆動によって上記プーリーは回転し、回転支持部材３も回転し、収集容器１はその向きを変えて逆転することが出来る。
【００１４】
収集容器１には生ゴミが溜まっているが、収集容器１の向きが逆転することで生ゴミは落下し、下方に取付けられている分解処理容器２の中に収容される。ここで、両側板６，６には軸４，５を中心とした円形のガイド溝１６，１６が形成され、このガイド溝１６，１６に回転支持部材３の上端ガイド片１７，１７が嵌っていて、回転支持部材３が回転することでガイド片１７，１７はガイド溝１６，１６に沿って移動することが出来る。ここで、ガイド片１７として回転自在なローラとするならば、該ローラは回転しながらガイド溝１６を移動する。
【００１５】
又、軸４は中空軸と成っていて、その先端にはガイド片１８が外周へ突出して形成され、このガイド片１８は排水管１９に設けたガイド溝に嵌って、回転支持部材３の回転に伴ってガイド片１８はガイド溝に沿って回転する。同図において、点線はその向きを逆転した回転支持部材３及び収集容器１の先端部を示している。
【００１６】
図２は網カゴで構成した収集容器１を示している。上端にはリブ２０が設けられ、底が回転支持部材３の底板から突出した凸部８に載ってネジ止めされると共に、リブ２０は回転支持部材３の内面に形成している支持片２１に載って取付けられている。
【００１７】
図３は回転支持部材３を示しているが、上方を開口した容器であり、内部空間２２には上記収集容器１が取付けられる。上端両側にはローラなどから成るガイド片１７，１７が設けられ、内側には収集容器１のリブ２０が載る支持片２１を有している。そして、下端部には軸４と軸５が外方向へ延び、中空軸４の先端にはガイド片１８が形成され、軸５の先端には歯付きプーリー１４を取付けている。
【００１８】
ところで、流し台の排水口から流された排水は、中に混入している生ゴミを収集容器１に残して流れ出し、回転支持部材３の底板７に落下し、中空軸４の内部空間を流れて排水管１９へ流れ出る。排水管１９の入口には弁２３が取付けられ、排水は該弁２３を押し開いて排水管１９へ入り、該排水管１９の途中に設けているＳトラップ２４を通過して下方へ流れ落ちる。
【００１９】
ところで、収集容器１の下方には分解処理容器２が取付けられて、該分解処理容器２の底には攪拌羽根２５が取付けられている。分解処理容器２の底は傾斜して中心部が低くなっていて、該底面と僅かな隙間を残して上記攪拌羽根２５はモータ２６によって回転する。従って、収容されている生ゴミは攪拌され、バクテリア菌などの分解菌の作用、又は外部から送り込まれる熱風によって適度な環境におかれ、生ゴミは分解して細かく砕かれ肥料となる。
【００２０】
そして、細かく砕かれて粉末化した肥料は分解処理容器２の底に形成している穴から流れ落ち、収納ケース（図示なし）に収納される。生ゴミが分解処理される場合、生ゴミの種類によっては非常な悪臭を発生するが、本発明の装置では、該悪臭が流し台の排水口から出ないようにしている。すなわち、分解処理容器２の側部には排気路２８を設け、該排気路２８の出口は上記Ｓとラップ２４の下方に位置する排水管１９に連通している。
【００２１】
Ｓトラップ２４には常に排水が溜まっている為に、該Ｓトラップ２４を通過して排水口へ悪臭が流れることはない。そして、同図では分解処理容器２の上部に送風口２７が設けられ、該送風口２７からは温風が分解処理容器内に吹き込まれる。分解処理容器２に収容されている生ゴミは攪拌羽根２５て攪拌されながら分解される。ここで、分解菌を使用するか否かは問わない。
【００２２】
以上述べたように、本発明に係る生ゴミ分解処理装置は、流し台から排水と共に流れる生ゴミを収集し、該生ゴミを分解処理するようにしたものであり、次のような効果を得ることが出来る。
【００２３】
【発明の効果】
本発明の生ゴミ分解処理装置は流し台の排水口下方に収集容器を設けていて、排水に混入して流れる生ゴミは該収集容器に集められる。収集容器は網カゴなどから成っていて、排水は網目を通過して底及び側面から流れ出して排水管へ導き出される。そして、収集容器は回転してその向きを逆転し、生ゴミは落下して下方に設けている分解処理容器に収容される。
【００２４】
分解処理容器は、温風を吹き込んで生ゴミを攪拌しながら分解することが出来、又、バクテリアなどの分解菌を利用して処理され、その結果、生ゴミは細かく砕かれて粉末状と成る。粉末状となった肥料は分解処理容器の底に設けられている穴から落下して収納容器に収納され、又側面の開口から取出される為に、収集容器に集められる生ゴミはその体積を非常に縮小してしまい、そして粉末状化した生ゴミは収納容器から取出して処分することが出来る。
【図面の簡単な説明】
【図１】本発明に係る生ゴミ分解処理装置を示す実施例。
【図２】収集容器の具体例。
【図３】回転支持部材。
【符号の説明】
１　収集容器
２　分解処理容器
３　回転支持部材
４　軸
５　軸
６　側板
７　底板
８　凸部
９　カバー
１０　球面
１１　歯付きプーリー
１２　モータ
１３　主軸
１４　歯付きプーリー
１５　ベルト
１６　ガイド溝
１７　ガイド片
１８　ガイド片
１９　排水管
２０　リブ
２１　支持片
２２　内部空間
２３　弁
２４　Ｓトラップ
２５　攪拌羽根
２６　モータ
２７　送風口
２８　排気路
【図１】
2004130247.tif 000003
【図２】
2004130247.tif 000004
【図３】
2004130247.tif 000005